(57)【特許請求の範囲】
【請求項１】
写真を撮影して画像データを取得する写真撮影部と、
前記写真撮影部により過去に撮影された１枚以上の写真の所定の周波数成分が蓄積されたデータベースと、
前記写真撮影部により新たに撮影された写真の画像データから前記所定の周波数成分を抽出する周波数成分抽出部と、
前記新たに撮影された写真の周波数成分を２以上の分割領域に分割する領域分割部と、
前記新たに撮影された写真の各々の分割領域の周波数成分と前記データベースの各々対応する分割領域の周波数成分とを照合して、それぞれの周波数成分に含まれる成分が一致する総数が最大となる最大近傍領域を求める最大近傍領域算出部と、
前記新たに撮影された写真の各々の分割領域の最大近傍領域外の周波数成分の中から抽出された一部の第１抽出成分を、前記データベースの各々対応する分割領域の最大近傍領域外の周波数成分の中から抽出された一部の第２抽出成分に、該第２抽出成分の位置に対応する、前記新たに撮影された写真の周波数成分の位置に置換する成分置換部とを備えることを特徴とする撮影装置。
【請求項２】
前記最大近傍領域算出部は、前記新たに撮影された写真の各々の分割領域の周波数成分の中から所定の抽出処理により抽出された第３抽出成分と前記データベースの各々対応する分割領域の周波数成分の中から所定の抽出処理により抽出された第４抽出成分とを照合して、それぞれの抽出成分に含まれる成分が一致する総数が最大となる最大近傍領域を求めるものである請求項１に記載の撮影装置。
【請求項３】
前記成分置換部は、前記新たに撮影された写真の各々の分割領域の最大近傍領域外の周波数成分の中から所定の抽出処理により抽出された第１抽出成分を、前記データベースの各々対応する分割領域の最大近傍領域外の周波数成分の中から所定の抽出処理により抽出された第２抽出成分に置換するものである請求項１または２に記載の撮影装置。
【請求項４】
前記成分置換部は、前記新たに撮影された写真の各々の分割領域の最大近傍領域外の周波数成分の中から所定の抽出処理により抽出されたα（ｎ−１）個（αは係数、ｎは撮影回数を表すｎ≧１の整数、ｎ−１は前記データベースに蓄積された写真の周波数成分が更新された回数）の第１抽出成分を、前記データベースの各々対応する分割領域の最大近傍領域外の周波数成分の中から所定の抽出処理により抽出されたα（ｎ−１）個の第２抽出成分に置換するものである請求項３に記載の撮影装置。
【請求項５】
さらに、前記第２抽出成分を、前記第１抽出成分に、該第１抽出成分の位置に対応する、前記データベースの周波数成分の位置に置換するデータベース更新部を備える請求項１〜４のいずれかに記載の撮影装置。
【請求項６】
前記データベース更新部は、前記データベースの各々の分割領域の最大近傍領域外の周波数成分の中から所定の抽出処理により抽出された第２抽出成分を、前記新たに撮影された写真の各々対応する分割領域の最大近傍領域外の周波数成分の中から所定の抽出処理により抽出された第１抽出成分に置換するものである請求項５に記載の撮影装置。
【請求項７】
前記データベース更新部は、前記データベースの各々の分割領域の最大近傍領域外の周波数成分の中から所定の抽出処理により抽出されたα（ｎ−１）個（αは係数、ｎは撮影回数を表すｎ≧１の整数、ｎ−１は前記データベースに蓄積された写真の周波数成分が更新された回数）の第２抽出成分を、前記新たに撮影された写真の各々対応する分割領域の最大近傍領域外の周波数成分の中から所定の抽出処理により抽出されたα（ｎ−１）個の第１抽出成分に置換するものである請求項６に記載の撮影装置。
【請求項８】
前記所定の抽出処理は、総当たり、もしくは、任意の箇所の成分と基準値との照合を行って成分を抽出するものである請求項２〜４，６および７のいずれかに記載の撮影装置。
【請求項９】
前記所定の抽出処理は、ランダム関数を用いて成分を抽出するものである請求項２〜４，６および７のいずれかに記載の撮影装置。
【請求項１０】
前記周波数成分抽出部は、前記所定の周波数成分として、第１周波数成分および該第１周波数成分よりも周波数が低い第２周波数成分を抽出するものであり、
前記領域分割部、前記最大近傍領域算出部、および、前記成分置換部は、前記第１および第２周波数成分のそれぞれについて処理を行うものである請求項１〜９のいずれかに記載の撮影装置。
【請求項１１】
さらに、前記新たに撮影された写真の周波数成分に含まれる成分の数を規格化する成分規格化部を備え、
前記領域分割部は、前記規格化された周波数成分を分割領域に分割するものである請求項１〜１０のいずれかに記載の撮影装置。
【請求項１２】
前記周波数成分抽出部は、前記所定の周波数成分として、第１周波数成分および該第１周波数成分の周波数よりも周波数が低い第２周波数成分を抽出するものであり、
前記領域分割部、前記最大近傍領域算出部、前記成分置換部、および、前記成分規格化部は、前記第１および第２周波数成分のそれぞれについて処理を行うものである請求項１１に記載の撮影装置。
【請求項１３】
さらに、前記新たに撮影された写真のフォーカス領域を検出するフォーカス領域検出部を備え、
前記周波数成分抽出部は、前記フォーカス領域内の画像データから周波数成分を抽出するものである請求項１〜１２のいずれかに記載の撮影装置。
【請求項１４】
さらに、前記第１抽出成分が第２抽出成分に置換された、前記新たに撮影された写真の周波数成分から、置換後の画像を生成する画像生成部を備える請求項１〜１３のいずれかに記載の撮影装置。
【請求項１５】
さらに、前記置換後の画像の画像データを保存する画像データ保存部を備える請求項１４に記載の撮影装置。
【請求項１６】
写真を撮影して画像データを取得する写真撮影ステップと、
前記写真撮影ステップにより新たに撮影された写真の画像データから所定の周波数成分を抽出する周波数成分抽出ステップと、
前記新たに撮影された写真の周波数成分を２以上の分割領域に分割する領域分割ステップと、
前記新たに撮影された写真の各々の分割領域の周波数成分と過去に撮影された１枚以上の写真の周波数成分が蓄積されたデータベースの各々対応する分割領域の周波数成分とを照合して、それぞれの周波数成分に含まれる成分が一致する総数が最大となる最大近傍領域を求める最大近傍領域算出ステップと、
前記新たに撮影された写真の各々の分割領域の最大近傍領域外の周波数成分の中から抽出された一部の第１抽出成分を、前記データベースの各々対応する分割領域の最大近傍領域外の周波数成分の中から抽出された一部の第２抽出成分に、該第２抽出成分の位置に対応する、前記新たに撮影された写真の周波数成分の位置に置換する成分置換ステップとを含むことを特徴とする撮影方法。
【請求項１７】
請求項１６に記載の撮影方法の各々のステップをコンピュータに実行させるためのプログラム。
【請求項１８】
請求項１６に記載の撮影方法の各々のステップをコンピュータに実行させるためのプログラムが記録されたコンピュータ読み取り可能な記録媒体。
【発明の詳細な説明】
【技術分野】
【０００１】
本発明は、新たに撮影された写真の一部が過去に撮影された写真の一部に置換された写真を作成する撮影装置、撮影方法およびプログラムに関するものである。
【背景技術】
【０００２】
近年、デジタルカメラや、カメラ機能を有する携帯電話やスマートフォン等の携帯端末の普及に伴って、写真を手軽に撮影することができる。例えば、自分自身ないし自分自身を含む友人にカメラを向けて写真の撮影を行う、いわゆる自分撮り（自撮り）を行って、数年にわたって自分自身の顔写真を撮影すると、年齢を重ねるに従って肌が衰え、小じわ、弛み、浮腫みなどが増えて若干顔つきが変わってくる。
【０００３】
これを改善するために、従来の撮影装置には、撮影された写真に美肌処理（特許文献１参照）やスムージング処理（特許文献２参照）を施して、肌の衰えを隠したり、しわを薄くする画像補正処理を行うものがある。その一方で、シールに印刷された写真を作成するプリントシール機などに代表されるように、年齢に関係なく、目を極端に大きく変形したり、ラメを入れるなどのデコレーション処理を行うものなどもある。
【０００４】
写真の被写体の人物には、上記のように、肌の衰えを隠したり、しわを薄くして、撮影された自分の顔写真を若々しく見せたいという願望があり、撮影装置には、このような被写体人物の願望を満足させる機能を搭載することが求められている。
【先行技術文献】
【特許文献】
【０００５】
【特許文献１】特開２０１０−２４４２３９号公報
【特許文献２】特開２００４−２４６４５６号公報
【発明の概要】
【発明が解決しようとする課題】
【０００６】
本発明の目的は、前記従来技術の問題点を解消し、被写体が実際より若かりし頃に写る写真を撮影することができる撮影装置、撮影方法およびプログラムを提供することにある。
【課題を解決するための手段】
【０００７】
上記目的を達成するために、本発明は、写真を撮影して画像データを取得する写真撮影部と、
写真撮影部により過去に撮影された１枚以上の写真の所定の周波数成分が蓄積されたデータベースと、
写真撮影部により新たに撮影された写真の画像データから所定の周波数成分を抽出する周波数成分抽出部と、
新たに撮影された写真の周波数成分を２以上の分割領域に分割する領域分割部と、
新たに撮影された写真の各々の分割領域の周波数成分とデータベースの各々対応する分割領域の周波数成分とを照合して、それぞれの周波数成分に含まれる成分が一致する総数が最大となる最大近傍領域を求める最大近傍領域算出部と、
新たに撮影された写真の各々の分割領域の最大近傍領域外の周波数成分の中から抽出された一部の第１抽出成分を、データベースの各々対応する分割領域の最大近傍領域外の周波数成分の中から抽出された一部の第２抽出成分に、第２抽出成分の位置に対応する、新たに撮影された写真の周波数成分の位置に置換する成分置換部とを備えることを特徴とする撮影装置を提供するものである。
【０００８】
ここで、最大近傍領域算出部は、新たに撮影された写真の各々の分割領域の周波数成分から所定の抽出処理により抽出された第３抽出成分とデータベースの各々対応する分割領域の周波数成分から所定の抽出処理により抽出された第４抽出成分とを照合して、それぞれの抽出成分に含まれる成分が一致する総数が最大となる最大近傍領域を求めるものであることが好ましい。
【０００９】
また、成分置換部は、新たに撮影された写真の各々の分割領域の最大近傍領域外の周波数成分の中から所定の抽出処理により抽出された第１抽出成分を、データベースの各々対応する分割領域の最大近傍領域外の周波数成分の中から所定の抽出処理により抽出された第２抽出成分に置換するものであることが好ましい。
【００１０】
また、成分置換部は、新たに撮影された写真の各々の分割領域の最大近傍領域外の周波数成分の中から所定の抽出処理により抽出されたα（ｎ−１）個（αは係数、ｎは撮影回数を表すｎ≧１の整数、ｎ−１はデータベースに蓄積された写真の周波数成分が更新された回数）の第１抽出成分を、データベースの各々対応する分割領域の最大近傍領域外の周波数成分の中から所定の抽出処理により抽出されたα（ｎ−１）個の第２抽出成分に置換するものであることが好ましい。
【００１１】
さらに、第２抽出成分を、第１抽出成分に、第１抽出成分の位置に対応する、データベースの周波数成分の位置に置換するデータベース更新部を備えることが好ましい。
【００１２】
また、データベース更新部は、データベースの各々の分割領域の最大近傍領域外の周波数成分の中から所定の抽出処理により抽出された第２抽出成分を、新たに撮影された写真の各々対応する分割領域の最大近傍領域外の周波数成分の中から所定の抽出処理により抽出された第１抽出成分に置換するものであることが好ましい。
【００１３】
また、データベース更新部は、データベースの各々の分割領域の最大近傍領域外の周波数成分の中から所定の抽出処理により抽出されたα（ｎ−１）個（αは係数、ｎは撮影回数を表すｎ≧１の整数、ｎ−１はデータベースに蓄積された写真の周波数成分が更新された回数）の第２抽出成分を、新たに撮影された写真の各々対応する分割領域の最大近傍領域外の周波数成分の中から所定の抽出処理により抽出されたα（ｎ−１）個の第１抽出成分に置換するものであることが好ましい。
【００１４】
ここで、所定の抽出処理は、総当たり、もしくは、任意の箇所の成分と基準値との照合を行って成分を抽出するものであることが好ましい。
【００１５】
また、所定の抽出処理は、ランダム関数を用いて成分を抽出するものであることが好ましい。
【００１６】
また、周波数成分抽出部は、所定の周波数成分として、第１周波数成分および第１周波数成分よりも周波数が低い第２周波数成分を抽出するものであり、
領域分割部、最大近傍領域算出部、および、成分置換部は、第１および第２周波数成分のそれぞれについて処理を行うものであることが好ましい。
【００１７】
さらに、新たに撮影された写真の周波数成分に含まれる成分の数を規格化する成分規格化部を備え、
領域分割部は、規格化された周波数成分を分割領域に分割するものであることが好ましい。
【００１８】
また、周波数成分抽出部は、所定の周波数成分として、第１周波数成分および第１周波数成分の周波数よりも周波数が低い第２周波数成分を抽出するものであり、
領域分割部、最大近傍領域算出部、成分置換部、および、成分規格化部は、第１および第２周波数成分のそれぞれについて処理を行うものであることが好ましい。
【００１９】
さらに、新たに撮影された写真のフォーカス領域を検出するフォーカス領域検出部を備え、
周波数成分抽出部は、フォーカス領域内の画像データから周波数成分を抽出するものであることが好ましい。
【００２０】
さらに、第１抽出成分が第２抽出成分に置換された、新たに撮影された写真の周波数成分から、置換後の画像を生成する画像生成部を備えることが好ましい。
【００２１】
さらに、置換後の画像の画像データを保存する画像データ保存部を備えることが好ましい。
【００２２】
また、本発明は、写真を撮影して画像データを取得する写真撮影ステップと、
写真撮影ステップにより新たに撮影された写真の画像データから所定の周波数成分を抽出する周波数成分抽出ステップと、
新たに撮影された写真の周波数成分を２以上の分割領域に分割する領域分割ステップと、
新たに撮影された写真の各々の分割領域の周波数成分と過去に撮影された１枚以上の写真の周波数成分が蓄積されたデータベースの各々対応する分割領域の周波数成分とを照合して、それぞれの周波数成分に含まれる成分が一致する総数が最大となる最大近傍領域を求める最大近傍領域算出ステップと、
新たに撮影された写真の各々の分割領域の最大近傍領域外の周波数成分の中から抽出された一部の第１抽出成分を、データベースの各々対応する分割領域の最大近傍領域外の周波数成分の中から抽出された一部の第２抽出成分に、第２抽出成分の位置に対応する、新たに撮影された写真の周波数成分の位置に置換する成分置換ステップとを含むことを特徴とする撮影方法を提供する。
【００２３】
また、本発明は、上記に記載の撮影方法の各々のステップをコンピュータに実行させるためのプログラムを提供する。
【００２４】
また、本発明は、上記に記載の撮影方法の各々のステップをコンピュータに実行させるためのプログラムが記録されたコンピュータ読み取り可能な記録媒体を提供する。
【発明の効果】
【００２５】
本発明では、新たに撮影された写真の周波数成分の一部の抽出成分が、過去に撮影された写真の周波数成分の一部の抽出成分に、過去の写真の抽出成分の位置に対応する、新たな写真の位置に置換される。これにより、本発明によれば、肌が衰えて、小じわ、弛み、浮腫みなどが増加する前の状態に時間を巻き戻すことができ、被写体が実際より若かりし頃に写る写真を撮影することができる。
【図面の簡単な説明】
【００２６】
【図１】本発明の撮影装置の構成を表す一実施形態のブロック図である。
【図２】図１に示す撮影装置の動作を表すフローチャートである。
【図３】（Ａ）および（Ｂ）は、新たに撮影された写真のフォーカス領域内の画像データから抽出された高周波成分および中周波成分の画像を表す概念図である。
【図４】（Ａ）および（Ｂ）は、新たに撮影された写真のフォーカス領域内の規格化された周波数成分およびデータベースに蓄積された周波数成分が分割領域に分割された様子を表す概念図である。
【図５】（Ａ）および（Ｂ）は、高周波成分および中周波成分それぞれの最大近傍領域を表す概念図である。
【図６】図５（Ａ）に示す高周波成分について、新たに撮影された写真の規格化された高周波成分の第１抽出成分と、データベースの高周波成分の第２抽出成分とを置換する様子を表す概念図である。
【発明を実施するための形態】
【００２７】
以下に、添付の図面に示す好適実施形態に基づいて、本発明の撮影装置、撮影方法およびプログラムを詳細に説明する。
【００２８】
図１は、本発明の撮影装置の構成を表す一実施形態のブロック図である。同図に示す撮影装置１０は、新たに撮影された写真の一部が過去に撮影された写真の一部に置換された写真を作成するものであり、写真撮影部１２と、データベース１４と、フォーカス領域検出部１６と、周波数成分抽出部１８と、成分規格化部２０と、領域分割部２２と、最大近傍領域算出部２４と、成分置換部２６と、データベース更新部２８と、画像生成部３０と、画像データ保存部３２とによって構成されている。
【００２９】
写真撮影部１２は、デジタルカメラ、カメラ機能を有する携帯電話やスマートフォンなどの携帯端末のように、写真を撮影してその画像データ（デジタルデータ）を取得するものである。
【００３０】
データベース（ＤＢ）１４は、写真撮影部１２により過去に撮影された１枚以上の写真の所定の周波数成分が蓄積されたものである。
本実施形態では、所定の周波数成分として、高周波成分（第１周波数成分）と、高周波成分の周波数よりも周波数が低い中周波成分（第２周波数成分）が抽出される。高周波成分の周波数は、写真撮影部１２の性能により決定されるものであり、中周波成分の周波数は、例えば、高周波成分の周波数／２√２により定義されるものとする。
【００３１】
フォーカス領域検出部１６は、写真撮影部１２により新たに撮影された写真のフォーカス領域を検出するものである。
自分撮りの場合、被写体（撮影者）と写真撮影部１２との距離（撮影距離）は、撮影者の腕の長さ（リーチ）であり、顔の中心部（通常、鼻の位置）にフォーカスが合わされていると考えられる。
【００３２】
なお、前述のように、鼻の位置にフォーカスが合わされている場合、フォーカス領域を検出することは必須ではない。
【００３３】
周波数成分抽出部１８は、新たに撮影された写真のフォーカス領域内の画像データから所定の周波数成分、本実施形態の場合、前述のように、高周波成分および中周波成分を抽出するものである。
【００３４】
成分規格化部２０は、新たに撮影された写真のフォーカス領域内の周波数成分に含まれる成分の数を規格化するものである。
自分撮りの場合、撮影距離が変われば、被写体の顔の大きさが変わり、撮影された写真の単位面積当たりの画素数が変化する。そのため、成分規格化部２０は、単位面積当たりの周波数成分に含まれる成分の数を規格化する。
【００３５】
なお、自分撮りの場合で、撮影距離が変わらない場合、被写体の顔の大きさは変わらないため、周波数成分の規格化は必須ではない。
【００３６】
領域分割部２２は、新たに撮影された写真の規格化されたフォーカス領域内の周波数成分を２以上の小領域（分割領域）に分割するものである。
各々の分割領域は矩形でなくても三角形やハニカム形状などのようにほぼ等面積の小領域に分割できればよく、必ずしも同形状・相似形状の領域でなくてもよい。
また、各々の分割領域の面積も適宜決定することができる。各々の分割領域の面積が異なる場合には、面積の差分を重み付けすることで各々の分割領域を同等に扱えるようにしてもよい。さらに、隣接する分割領域は重複部分があってもよい。
【００３７】
最大近傍領域算出部２４は、新たに撮影された写真の各々の分割領域の周波数成分と、データベース１４の各々対応する分割領域の周波数成分とを照合して、それぞれの周波数成分に含まれる成分が一致する総数が最大となる最大近傍領域を求めるものである。
最大近傍領域算出部２４は、新たに撮影された写真の分割領域と１対１に対応するデータベース１４の分割領域とを照合してもよいし、その周囲のデータベース１４の複数の分割領域と各々照合して、最大近傍領域が最大となるものを求めてもよい。
【００３８】
成分置換部２６は、新たに撮影された写真の各々の分割領域の最大近傍領域外の周波数成分の中から抽出された一部の抽出成分（第１抽出成分）を、データベース１４の各々対応する分割領域の最大近傍領域外の周波数成分の中から抽出された一部の抽出成分（第２抽出成分）に、第２抽出成分の位置に対応する、新たに撮影された写真の周波数成分の位置に置換するものである。
【００３９】
データベース更新部２８は、第２抽出成分を、第１抽出成分に、第１抽出成分の位置に対応する、データベース１４の周波数成分の位置に置換するものである。
【００４０】
画像生成部３０は、成分置換部２６により第１抽出成分が第２抽出成分に置換された、新たに撮影された写真の周波数成分から、置換後の画像を生成するものである。
【００４１】
画像データ保存部３２は、置換後の画像の画像データを保存するものである。
【００４２】
次に、本発明の撮影方法に従って、撮影装置１０の概略動作を図２に示すフローチャートを参照しながら説明する。
【００４３】
まず、写真撮影部１２により、被写体の写真が撮影され、その画像データが取得される（ステップＳ１）。
本実施形態では、撮影者が自分撮りを行って、数年にわたって自分自身の顔写真が撮影され、過去に撮影された１枚以上の写真の高周波数成分および中周波成分がデータベース１４に蓄積されているものとする。
【００４４】
続いて、フォーカス領域検出部１６により、写真撮影部１２により新たに撮影された写真のフォーカス領域が検出される（ステップＳ２）。
例えば、図３、図４に円形の枠で示す領域がフォーカス領域である。
【００４５】
続いて、周波数成分抽出部１８により、新たに撮影された写真のフォーカス領域内の画像データから高周波成分が抽出される（ステップＳ３Ａ）。
同様に、中周波成分が抽出される（ステップＳ３Ｂ）。
【００４６】
図３（Ａ）および（Ｂ）は、新たに撮影された写真のフォーカス領域内の画像データから抽出された高周波成分および中周波成分の画像を表す概念図である。
同図（Ａ）に示す高周波成分の画像は、例えば、目、鼻、口などのように、形状が細かく変化している部分を表すため、画像がはっきりとしている。これに対し、同図（Ｂ）に示す中周波成分の画像は、形状がおおまかに変化している部分を表すため、画像がぼんやりとしている。また、高周波成分、中周波成分の中に含まれる成分は、被写体の各部の形状に応じて密な部分と、粗な部分がある。
【００４７】
続いて、成分規格化部２０により、フォーカス領域内の高周波数成分に含まれる成分の数が規格化される（ステップＳ４Ａ）。
同様に、中周波成分に含まれる成分の数が規格化される（ステップＳ４Ｂ）。
【００４８】
続いて、領域分割部２２により、図４（Ａ）に示すように、新たに撮影された写真のフォーカス領域内の規格化された高周波数成分が分割領域に分割される（ステップＳ５Ａ）。
同様に、中周波成分が分割領域に分割される（ステップＳ５Ｂ）。
また、図２では簡略化しているが、同様に、図４（Ｂ）に示すように、データベース１４に蓄積された高周波成分および中周波成分のそれぞれが分割領域に分割される（ステップＳ５Ｃ）。あるいは、データベース１４の周波数成分は、あらかじめ分割領域に分割されていてもよい。
【００４９】
続いて、最大近傍領域算出部２４により、新たに撮影された写真の各々の分割領域の高周波数成分の中から、例えば、ランダム関数を用いてランダムに抽出された抽出成分（第３抽出成分）と、データベース１４の各々対応する分割領域の高周波数成分の中からランダムに抽出された抽出成分（第４抽出成分）との照合が行われ、それぞれの抽出成分に含まれる成分が一致する総数が最大となる最大近傍領域が求められる（ステップＳ６Ａ）。
同様に、中周波成分についても最大近傍領域が求められる（ステップＳ６Ｂ）。
【００５０】
図５（Ａ）および（Ｂ）は、高周波成分および中周波成分それぞれの最大近傍領域を表す概念図である。
同図（Ａ）および（Ｂ）の四角の枠は、図４（Ａ）および（Ｂ）において、新たに撮影された写真（規格化後）およびデータベース１４の高周波成分および中周波成分のそれぞれに示された１つの分割領域を表し、円形の枠は、最大近傍領域を表している。また、高周波成分および中周波成分のそれぞれに含まれる成分は黒丸で示されている。
【００５１】
分割領域毎に最大近傍領域を決定するため、最大近傍領域は、各々の分割領域の領域内に含まれる大きさとなる。また、最大近傍領域は、新たに撮影された写真およびデータベース１４の分割領域内において、同じ位置、同じ大きさとなる。
【００５２】
ここで、最大近傍領域が大きいということは、分割領域において、新たに撮影された写真と、過去に撮影された写真との一致度が大きい、つまり、新たに撮影された写真は、過去に撮影された写真からの変化が小さいということを意味する。
一方、最大近傍領域が小さいということは、分割領域において、両者の一致度が小さい、つまり、新たに撮影された写真は、過去に撮影された写真からの変化が大きいということを意味する。
【００５３】
続いて、成分置換部２６により、新たに撮影された写真の各々の分割領域の最大近傍領域外の高周波数成分の中からランダムに抽出されたα（ｎ−１）個（αは係数、ｎは撮影回数を表すｎ≧１の整数、ｎ−１はデータベース１４に蓄積された写真の周波数成分が更新された回数）の第１抽出成分が、データベース１４の各々対応する分割領域の最大近傍領域外の周波数成分の中からランダムに抽出されたα（ｎ−１）個の第２抽出成分に、第２抽出成分の位置に対応する、新たに撮影された写真の高周波成分の位置に置換される（ステップＳ７Ａ）。
同様に、中周波成分についても置換される（ステップＳ７Ｂ）。
【００５４】
一方、データベース更新部２８により、データベース１４の各々の分割領域の最大近傍領域外の周波数成分の中からランダムに抽出されたα（ｎ−１）個の第２抽出成分が、新たに撮影された写真の各々対応する分割領域の最大近傍領域外の周波数成分の中からランダムに抽出されたα（ｎ−１）個の第１抽出成分に、第１抽出成分の位置に対応する、データベース１４の高周波数成分の位置に置換され、データベース１４に蓄積された高周波成分が更新される（ステップＳ７Ｃ）。
同様に、中周波成分についても置換される。
【００５５】
ここで、従来の美肌処理やスムージング処理等の画像補正処理では、処理の前後で画像の大きさ（情報量）が変化する。従来の画像補正処理では、一般的に、処理後の画像は処理前の画像よりも大きくなる。
これに対し、成分置換部２６およびデータベース更新部２８は、第１抽出成分と第２抽出成分とを置換する。そのため、置換後の写真、および、データベース１４に蓄積される周波数成分の大きさ（情報量）は、置換の前後で全く変化しない。
【００５６】
なお、ステップＳ６Ａ，Ｓ６Ｂ，Ｓ７Ａ，Ｓ７Ｂ，Ｓ７Ｃにおいて、それぞれの周波数成分の中からランダムに成分を抽出することは必須ではない。成分の抽出処理として、例えば、総当たり、ないし、任意の箇所の成分と基準値との照合を行って成分を抽出してもよい。また、（ｎ−１）個の成分を置換することも必須ではなく、係数αにより適宜変更することができる。
【００５７】
本実施形態では、成分置換部２６により第１抽出成分を第２抽出成分に置換し、データベース更新部２８により第２抽出成分を第１抽出成分に置換しているが、第１抽出成分と第２抽出成分とを置換することにより、両者を１度で置換することができる。
【００５８】
図６は、図５（Ａ）に示す高周波成分について、新たに撮影された写真の規格化された高周波成分の第１抽出成分と、データベースの高周波成分の第２抽出成分とを置換する様子を表す概念図である。同図において、第１および第２抽出成分は白丸で示されている。
図６に示すように、新たに撮影された写真の分割領域では第１抽出成分が消去され、第２抽出成分が、第２抽出成分の位置に対応する、新たに撮影された写真の位置に配置される。一方、データベース１４の分割領域では第２抽出成分が消去され、第１抽出成分が、第１抽出成分の位置に対応する、データベース１４の位置に配置される。
【００５９】
続いて、画像生成部３０により、第１抽出成分が第２抽出成分に置換された、新たに撮影された写真の高周波数成分および中周波成分から、置換後の画像（写真）が生成される（ステップＳ８）。
【００６０】
そして最後に、画像データ保存部３２により、置換後の画像の画像データが保存される（ステップＳ９）。
【００６１】
以上のように、撮影装置１０では、新たに撮影された写真の周波数成分の一部の抽出成分が、過去に撮影された写真の周波数成分の一部の抽出成分に、過去の写真の抽出成分の位置に対応する、新たな写真の位置に置換される。これにより、肌が衰えて、小じわ、弛み、浮腫みなどが増加する前の状態に時間を巻き戻すことができ、被写体が実際より若かりし頃に写る写真を撮影することができる。
【００６２】
なお、自分撮りを行って撮影された写真を例に挙げて説明したが、これに限定されず、本発明は、数年にわたって撮影された複数枚の写真に対して適用することができる。
また、上記実施形態では、写真から高周波成分と中周波成分の２つの周波数成分を抽出しているが、これに限定されず、１つの周波数成分だけを抽出してもよいし、３以上の周波数成分を抽出してもよい。
【００６３】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００６４】
１０  撮影装置
１２  写真撮影部
１４  データベース
１６  フォーカス領域検出部
１８  周波数成分抽出部
２０  成分規格化部
２２  領域分割部
２４  最大近傍領域算出部
２６  成分置換部
２８  データベース更新部
３０  画像生成部
３２  画像データ保存部
【図１】
0005848186.tif 000002
【図２】
0005848186.tif 000003
【図４】
0005848186.tif 000004
【図５】
0005848186.tif 000005
【図６】
0005848186.tif 000006
【図３】
0005848186.tif 000007